【事件の表示】
　特願２００２−１８６３８５「現像装置」拒絶査定不服審判事件〔平成１５年　１月２４日出願公開、特開２００３−　２１９６７〕について、次のとおり審決する。
【結　論】
　本件審判の請求は、成り立たない。
【理　由】
１．手続の経緯 
 　本願は、平成６年９月２２日に出願した特願平６−２２８４９３号の一部を平成１４年６月２６日に新たな特許出願としたものであって、平成１７年６月２日付けの拒絶理由に対して、同年８月８日付けで手続補正がなされたが、平成１８年２月２８日付けで拒絶査定がなされ、これに対し同年４月６日付けで審判請求がなされるとともに、同年５月８日付けで手続補正がなされたものである。 
　そして、当審において、平成１９年１２月２７日付けで、前記平成１８年５月８日付けの手続補正が却下されるとともに、同日付けで拒絶理由が通知され、これに対して、平成２０年３月１０日付けで手続補正がなされたものである。
　
２．本願発明 
　本願の請求項１及び２に係る発明は、平成２０年３月１０日付けの手続補正により補正された特許請求の範囲の請求項１及び２に記載された事項により特定されるとおりのものであるところ、そのうち請求項１に係る発明（以下「本願発明１」という）は以下のとおりである。
 　 
 【請求項１】
　トナーとキャリアを混合してなる２成分系現像剤を収容する現像部と、
　上記２成分系現像剤を収納し、かつ該２成分現像剤を排出するための補給孔部を有する補給現像剤収納部と、
　上記現像部から排出された余剰現像剤を導入するための導入孔部を有し、かつ該余剰現像剤を収納する余剰現像剤収納部と、
　上記現像部から余剰の現像剤を上記余剰現像剤収納部へ移送する余剰現像剤移送手段とを備え、
　上記補給現像剤収納部と上記余剰現像剤収納部とは重力方向で略同一高さとなるように長手方向に並んだ一体の現像剤収納部材を形成し、
　上記補給現像剤収納部の容積は上記余剰現像剤収納部の容積よりも大きく形成され、
　上記余剰現像剤を受け入れる導入孔部と上記補給現像剤を排出する補給孔部が、上記現像剤収納部材の外周面の周方向にずれて配置され、かつ、上記導入孔部が上記補給孔部よりも小さく形成され、
　上記現像部から余剰現像剤を排出する排出口が上記現像剤収納部材の長手方向に直交する断面で見て、上記現像部と上記余剰現像剤収納部の間に設けられていることを特徴とする現像装置。
　
３．引用文献 
（１）引用文献１ 
 　当審における拒絶の理由に引用された、本願の遡及出願日前に頒布された刊行物である実公昭６０−２５９６号公報（以下「引用文献１」という）には、図面とともに以下の事項が記載されている。 
 　 
 （ａ）「１　トナーとキヤリアとからなる現像剤を収容し、感光体表面に形成された静電潜像に上記現像剤を供給する供給装置を含む現像容器と、トナーとキヤリアとからなる現像剤を上記現像容器に補給する補給装置と、該補給装置と一体化されており現像容器に着脱自在に装着された現像容器からオーバーフローする現像剤を受け取る現像剤受け装置とから構成されている電子写真現像装置。」（実用新案登録請求の範囲１）  
 　 
 （ｂ）「上記現像装置２の下部であつて、この現像装置１に着脱可能に装着された現像剤補給及び回収結合装置３が設けられている。この現像剤補給及び回収結合装置３は円筒形状の現像剤補給装置９と、現像剤回収装置１０とから構成されている。この現像剤補給装置９内には矢印方向に間欠的に回転する補給アーム１１が設けられている。」（第２頁左欄） 
 　 
 （ｃ）「しかしながら現像装置２の底部２ａとドクター７との間には開口９が形成されており、この開口は現像装置２と現像剤回収容器１０とを連結しており、現像装置２内の過剰の現像剤はこの開口を通つて現像剤回収容器１０に落下させられる。即ちドクター７においてスリーブ３上の過剰の現像剤が掻き取られるが、この時、現像剤を少量ずつ現像剤回収容器１０内に落下させる。このようにして現像装置が作動している間に微量の現像剤が現像剤回収容器１０に落下し、古い現像剤が回収され一定量以下になると新たな現像剤が補給される。そして一定量の現像剤が現像装置２内に収容されており、かつ所定のトナー濃度に維持される。現像剤補給装置９内の現像剤が無くなった事を検知すると、これは図示していないが公知の現像剤量検知装置が使用出来るが、機外に現像剤を補充するよう警報又はチャイム、ランプ等で表示する。これらの表示によってサービスマン又は操作者は現像剤補給及び回収結合装置８を現像装置２から外して新たなカセット化された上記装置を装着するか、回収装置内に回収された現像剤を取り出して、現像剤補給装置にに新たな現像剤を補給して現像装置２の下部に装着するようにしてもよい。」（第２頁右欄） 
 　  
 （ｄ）「次に第２図は本考案の変形実施例を示すもので、・・（中略）・・この現像装置１３の右方には現像剤補給及び回収結合装置１７が現像装置１３に着脱自在に装着されている。この現像剤補給及び回収結合装置１７はその上部は現像剤補給装置１８が、下部には現像剤回収装置１９がそれぞれ形成されている。図示しないトナー濃度検知装置又は現像剤使用量検知装置等によって現像剤補給装置１８から制御弁２０の開閉制御によって所定量の現像剤が補給される。新たな現像剤が現像装置１３に補給されると、現像装置１３内の現像剤の量が増加するが所定量以上の現像剤は容器１６の一側端１６ａからオーバーフローして現像剤回収装置１９内に落下する」（第２頁右欄から第３頁左欄） 
 　 
 （ｅ）「さらに現像剤補給装置と現像剤回収装置とを一体化して現像装置に対し着脱自在となつたので、数千枚の複写毎に現像剤補給のために現像剤補給装置及び回収結合装置を外すようになるので、サービスマン又は操作者が多量の現像剤を運搬する必要がなくなる。また上記装置をカセツト化しておけば簡単に交換することができる。」（第３頁右欄）  
 　 
 （ｆ）第１図及び第２図には、現像剤補給装置と現像剤回収装置が、水平方向又は垂直方向に一体的に形成されていること、及び、現像装置から余剰現像剤を排出する排出口が、現像剤補給及び回収結合装置の長手方向に直交する断面で見て、上記現像装置と上記現像剤回収装置の間に設けられていることが記載されている。 
　
（ｇ）第１図及び第２図の記載から、現像剤補給装置９（１８）が、トナーとキャリアを混合してなる現像剤を排出するための補給孔部、及び現像剤回収装置１０（１９）が余剰現像剤を導入するための導入孔部を有することは明らかである。
  
 　これらの記載によれば、引用文献１には以下の発明が記載されていると認められる。 
 　 
 「トナーとキャリアを混合してなる現像剤を収容する現像装置２（１３）と、 
　上記現像装置２（１３）へ供給するトナーとキャリアを混合してなる現像剤を収納し、かつ該現像剤を排出するための補給孔部を有する現像剤補給装置９（１８）と、
　上記現像装置２（１３）から排出された余剰現像剤を導入するための導入孔部を有し、かつ該余剰現像剤を収納する現像剤回収装置１０（１９）とを備え、
　上記現像剤補給装置９（１８）と上記現像剤回収装置１０（１９）とは、水平方向又は垂直方向に並んで一体に形成され、現像装置に着脱自在な現像剤補給及び回収結合装置８（１７）を形成し、
　上記現像装置２（１３）から余剰現像剤を排出する排出口が、現像剤補給及び回収結合装置８（１７）の長手方向に直交する断面で見て、上記現像装置２（１３）と上記現像剤回収装置１０（１９）の間に設けられ、現像装置２（１３）から余剰現像剤を落下させるように構成した、現像装置２（１３）並びに現像剤補給及び回収結合装置８（１７）。」 
 　 
４．本願発明１と引用文献１に記載された発明の対比 
 　引用文献１に記載された発明の、「現像装置２（１３）」、「現像剤補給装置９（１８）」、「現像剤回収装置１０（１９）」、「現像剤補給及び回収結合装置８（１７）」、「現像装置２（１３）並びに現像剤補給及び回収結合装置８（１７）」は、それぞれ、本願発明１の、「現像部」、「補給現像剤収納部」、「余剰現像剤収納部」、「現像剤収納部材」、「現像装置」に相当する。 
 　してみると、両者は、 
 　 
 「トナーとキャリアを混合してなる２成分系現像剤を収容する現像部と、 
　上記２成分系現像剤を収納し、かつ該２成分現像剤を排出するための補給孔部を有する補給現像剤収納部と、
　上記現像部から排出された余剰現像剤を導入するための導入孔部を有し、かつ該余剰現像剤を収納する余剰現像剤収納部と、
 上記現像部から余剰現像剤を排出する排出口が現像剤収納部材の長手方向に直交する断面で見て、上記現像部と上記余剰現像剤収納部の間に設けられた、現像装置。」 
 　 
 である点で一致し、以下の点で相違する。 
 　 
（１）相違点１ 
　一体に形成される補給現像剤収納部と余剰現像剤収納部が、本願発明１は、「重力方向で略同一高さとなるように長手方向に並ん」でいるのに対して、引用文献１に記載された発明は、水平方向又は垂直方向に並んでいる点。
　
（２）相違点２
　補給現像剤収容部の容積と余剰現像剤収納部の容積について、本願発明１は、前者が後者より「大きく形成され」ているのに対して、引用文献１に記載された発明は、その大小関係が不明である点。
　
（３）相違点３
　導入孔部と補給孔部が、本願発明１は、「上記現像剤収納部材の外周面の周方向にずれて配置され」、かつ「上記導入孔部が上記補給孔部よりも小さく形成され」ているのに対して、引用文献１に記載された発明は、当該配置及び大小関係について明記されていない点。
 　 
５．判断 
（１）相違点１及び３について
　現像装置において、現像剤収納部の交換作業を容易にする等の目的で、一体に形成される補給現像剤収納部と廃トナー収納部とを、「重力方向で略同一高さとなるように長手方向に並ん」で配置することは、本願の遡及出願日前に当業者に周知であり、審査における拒絶理由で引用された特開平６−１１０３５８号公報の他に、特開平２−６９７８号公報及び特開平３−２２１９８１号公報に記載されている。 
　また、余剰現像剤を現像部から余剰現像剤収納部へ搬送する手段を設けることも、本願の遡及出願日前に当業者に周知であり、特開昭６４−５５５７８号公報、特開平４−１１８６７５号公報及び特開昭５３−２２７４７号公報に記載されている。
　したがって、引用文献１に記載された発明において、現像部から余剰現像剤を落下させる構成にかえて、現像部から余剰現像剤を搬送する手段を設ける等して、一体に形成された補給現像剤収納部と廃トナー収納部とを「重力方向で略同一高さとなるように長手方向に並ん」で配置することは、当業者が適宜なしうることである。
　そして、余剰現像剤を受け入れる導入孔部及び補給現像剤を排出する補給孔部の位置及び大きさは、余剰現像剤収納部、補給現像剤収納部及び現像部の相対的位置を考慮して、現像剤の受け入れ及び排出が良好に行えるように設定する設計的事項である。例えば、前記特開平６−１１０３５８号公報及び、前記特開平２−６９７８号公報には、導入孔部と補給孔部とを現像剤収納部材の外周面の周方向にずれて配置し、かつ、導入孔部を補給孔部よりも小さく形成することが記載されている。
　したがって、引用文献１に記載された発明において、一体に形成された補給現像剤収納部と廃トナー収納部とを「重力方向で略同一高さとなるように長手方向に並ん」で配置し、これに伴い、現像剤の受け入れ及び排出が良好に行えるように、導入孔部と補給孔部を、現像剤収納部材の外周面の周方向にずれて配置し、かつ、導入孔部を補給孔部よりも小さく形成することは、当業者が容易に想到できる。
　そして、引用文献１に記載された発明において、相違点１及び３に係る本願発明１の構成としたことによる効果を、当業者が予測できないとは認めることができない。
 　 
（２）相違点２について
　引用文献１に記載された発明において、補給された現像剤の一部が余剰現像剤として排出されることを考慮して、補給現像剤収納部の容積を余剰現像剤収納部の容積よりも大きく形成することは、当業者にとっての設計的事項にすぎない。よって、引用文献１に記載された発明において、補給現像剤収納部の容積を余剰現像剤収納部の容積よりも大きく形成することは、当業者が適宜なしうることである。
　
（３）まとめ
　したがって、引用文献１に記載された発明において、相違点１乃至３に係る本願発明１の構成とすることは、当業者が容易に想到でき、その効果を当業者が予測できないと認めることはできない。
　
６．むすび 
　以上のとおり、本願の請求項１に係る発明は、引用文献１に記載された発明、及び周知な事項に基づいて、当業者が容易に発明をすることができたものであるから、特許法第２９条第２項の規定により特許を受けることができない。
  そして、請求項１に係る発明が特許を受けることができないものである以上、他の請求項に係る発明について検討するまでもなく、本願は拒絶すべきものである。
　
　よって、結論のとおり審決する。